(57)【要約】【課題】特に楽にかつ素早く、連通する空間を隔てることができるペット用ネズミ小屋に用いるトンネル部材を提供する。【解決手段】中空パイプ状を呈し、管壁に少なくとも１つの挿入孔が穿設されるトンネル部材と、前記トンネル部材の挿入孔に挿入される阻止プレートとを有することを特徴とする。【選択図】図１
0003167971.tif 000002
【実用新案登録請求の範囲】
【請求項１】
パイプ状を呈し、管壁に少なくとも１つの挿入孔が穿設されるトンネル部材と、
前記トンネル部材の挿入孔に挿入される阻止プレートとを有することを特徴とするペット用ネズミ小屋に用いるトンネル部材。
【請求項２】
前記トンネル部材の挿入孔は、径方向において、前記トンネル部材の管壁を０度とし、このトンネル部材の管壁における１２０度乃至１８０度の割合を占める細長状の孔であることを特徴とする請求項１に記載のペット用ネズミ小屋に用いるトンネル部材。
【請求項３】
前記阻止プレートの両面に夫々、前記挿入孔に挿入される時に、前記トンネル部材の内部における挿入孔の近傍に位置する固定突起部が設けられ、該２つの固定突起部と阻止プレートとを合わせた厚さは、該挿入孔の開口の厚みよりやや大きいことを特徴とする請求項１又は請求項２に記載のペット用ネズミ小屋に用いるトンネル部材。
【請求項４】
前記阻止プレートの内部端が前記トンネル部材の内周面に対応し当接することを特徴とする請求項１乃至請求項３の何れか一項に記載のペット用ネズミ小屋に用いるトンネル部材。
【請求項５】
前記阻止プレートに逆L字形のフックが延設され、該フックは、一端に該阻止プレートに結合される短辺が設けられると共に、他端近傍の内側に脱落防止突起部が凸設されることを特徴とする請求項１乃至請求項４の何れか一項に記載のペット用ネズミ小屋に用いるトンネル部材。
【請求項６】
前記阻止プレートの上部周縁に、厚さが前記挿入孔の開口厚みより大きく、下端が前記挿入孔に当接する固定突起縁部が設けられることを特徴とする請求項１乃至請求項５の何れか一項に記載のペット用ネズミ小屋に用いるトンネル部材。
【請求項７】
前記トンネル部材の内周面に、内側へ延出する複数のリングが等間隔で配置されることを特徴とする請求項１乃至請求項６の何れか一項に記載のペット用ネズミ小屋に用いるトンネル部材。
【考案の詳細な説明】
【技術分野】
【０００１】
本考案は、特に阻止プレートを備えたペット用ネズミ小屋に用いるトンネル部材に関するものである。
【背景技術】
【０００２】
少子化問題が深刻な状況に陥る中、近年、最も一般的な猫や犬のほかに、例えば爬虫類や昆虫などを含む様々なペットの飼育が人気となっているが、例えば、都市化が進む街のマンションやアパートにおいては、大型ペットの飼育が大幅に制限されているので、特にペット用ネズミなどの小型のペットは、都市の住民に大変な人気となっている。
【０００３】
また、体型が小さいペット用ネズミをより快適に飼育するためには、通常、ペット用ネズミ小屋が用いられ、このようなペット用ネズミ小屋には、普段は栓で塞がれている、複数のペット用ネズミが通れるほどの大きさの複数の開口が設けられており、この開口を従来のトンネル部材で繋ぐことにより、ネズミの往来が可能となる。
【考案の概要】
【考案が解決しようとする課題】
【０００４】
しかしながら、前記従来のトンネル部材は、前記ペット用ネズミ小屋またはその部屋から取り外す時、該トンネル部材または塞ぎ遅れた開口から、ネズミが逃げ出さないように、該トンネル部材を素早く取り外し、開港を塞がなくてはならない。即ち、従来のトンネル部材の構成は、使用後、ネズミの活動を制限するように空間を便利に隔てることができなく、ネズミが簡単に逃げ出すものであるので、この逃げ出したペット用ネズミを取り戻すためには無駄に時間及び労力を費やさなくてはならないと言った欠点を有するものであった。
【０００５】
そこで、案出されたのが本考案であって、ネズミの活動を制限するように、便利かつ素早くトンネル部材により連通した空間を隔てることができるペット用ネズミ小屋に用いるトンネル部材を提供することを目的としている。
【課題を解決するための手段】
【０００６】
本願の請求項１の考案は、パイプ状を呈し、管壁に少なくとも１つの挿入孔が穿設されるトンネル部材と、
前記トンネル部材の挿入孔に挿入される阻止プレートとを有することを特徴とするペット用ネズミ小屋に用いるトンネル部材、を提供する。
【０００７】
本願の請求項２の考案は、前記トンネル部材の挿入孔は、径方向において、前記トンネル部材の管壁を０度とし、このトンネル部材の管壁における１２０度乃至１８０度の割合を占める細長状の孔であることを特徴とする請求項１に記載のペット用ネズミ小屋に用いるトンネル部材、を提供する。
【０００８】
本願の請求項３の考案は、前記阻止プレートの両面に夫々、前記挿入孔に挿入される時に、前記トンネル部材の内部における挿入孔の近傍に位置する固定突起部が設けられ、該２つの固定突起部と阻止プレートとを合わせた厚さは、該挿入孔の開口の厚みよりやや大きいことを特徴とする請求項１又は請求項２に記載のペット用ネズミ小屋に用いるトンネル部材、を提供する。
【０００９】
本願の請求項４の考案は、前記阻止プレートの内部端が前記トンネル部材の内周面に対応し当接することを特徴とする請求項１乃至請求項３の何れか一項に記載のペット用ネズミ小屋に用いるトンネル部材、を提供する。
【００１０】
本願の請求項５の考案は、前記阻止プレートに逆L字形のフックが延設され、該フックは、一端に該阻止プレートに結合される短辺が設けられると共に、他端近傍の内側に脱落防止突起部が凸設されることを特徴とする請求項１乃至請求項４の何れか一項に記載のペット用ネズミ小屋に用いるトンネル部材、を提供する。
【００１１】
本願の請求項６の考案は、前記阻止プレートの上部周縁に、厚さが前記挿入孔の開口厚みより大きく、下端が前記挿入孔に当接する固定突起縁部が設けられることを特徴とする請求項１乃至請求項５の何れか一項に記載のペット用ネズミ小屋に用いるトンネル部材、を提供する。
【００１２】
本願の請求項７の考案は、前記トンネル部材の内周面に、内側へ延出する複数のリングが等間隔で配置されることを特徴とする請求項１乃至請求項６の何れか一項に記載のペット用ネズミ小屋に用いるトンネル部材、を提供する。
【考案の効果】
【００１３】
本考案は上記の課題を解決するものであり、トンネル部材における挿入孔に挿入される阻止プレートにより、該トンネル部材をペット用ネズミ小屋から取り外さなくても、楽にかつ素早く、連通する空間を隔てることができるので、ネズミを逃がしてしまうようなことはない。
【図面の簡単な説明】
【００１４】
【図１】本考案に係るペット用ネズミ小屋に用いるトンネル部材の斜視図である。
【図２】本考案に係るペット用ネズミ小屋に用いるトンネル部材の分解斜視図である。
【図３】本考案に係るペット用ネズミ小屋に用いるトンネル部材の側面断面図である。
【図４】本考案に係るペット用ネズミ小屋に用いるトンネル部材の正面断面図である。
【図５】本考案に係るトンネル部材をペット用ネズミ小屋に設置した状態を示す側面図である。
【図６】本考案に係るトンネル部材をペット用ネズミ小屋に設置した状態を示す他の側面図である。
【図７】本考案に係るトンネル部材をペット用ネズミ小屋に設置した状態を示す側面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１に示すように、本考案に係るペット用ネズミ小屋に用いるトンネル部材は、トンネル部材１０と、阻止プレート２０とを有するものである。
【００１７】
図２乃至図４に示すように、トンネル部材１０は、パイプ状を呈する、両端に開口を有する円管であり、管壁に少なくとも１つの挿入孔１１が穿設される。なお、本実施例において該挿入孔１１は、径方向において、前記トンネル部材１０の管壁を３６０度とすると、このトンネル部材１０の管壁における１２０度乃至１８０度の割合を占める細長状の孔であり、また、該トンネル部材１０の内周面に、内部へ延出する少なくとも１つのリング１２が等間隔に配置される。
【００１８】
前記阻止プレート２０は、前記トンネル部材１０の挿入孔１１に挿入される。
【００１９】
本実施例において前記阻止プレート２０は、さらに以下の技術的な特徴を有する。
【００２０】
前記阻止プレート２０の両面に夫々、前記挿入孔１１に挿入される時に、前記トンネル部材１０の内部における挿入孔１１の近傍に位置する固定突起部２２が設けられ、該阻止プレート２０に該２つの固定突起部２２を足した厚さは、該挿入孔１１の開口の厚みよりやや大きい設計となっている。
【００２１】
図４に示すように、阻止プレート２０の内部端は、トンネル部材１０の内周面に対応し当接している。
【００２２】
図３に示すように、阻止プレート２０に逆L字形のフック２３が延設され、該フック２３は、一端に該阻止プレート２０に結合される短辺が設けられると共に、他端近傍の内側に脱落防止突起部２４が凸設される。
【００２３】
前記阻止プレート２０の上部周縁に、厚さが前記挿入孔１１の開口厚みより大きく、下端が該挿入孔１１に当接する固定突起縁部２１が設けられる。
【００２４】
図５乃至図７に示すように、本考案に係るペット用ネズミ小屋に用いるトンネル部材を使用する時は、挿入孔１１に阻止プレート２０が挿入されていないトンネル部材１０の両端開口を夫々、ペット用ネズミ小屋３０における２つの空間の開口に取り付けて該２つの空間を連通させ、ネズミの該２つの空間への往来を可能とする。例えば、図５に示す２つのペット用ネズミ小屋３０を繋いだり、または図６に示す１つのペット用ネズミ小屋３０における上下部を繋ぐことができる。なお、図７に示すように、単なるねずみ用の遊具として使用することもできる。
【００２５】
また、前記トンネル部材１０により連通した空間を隔てる時は、単に前記阻止プレート２０を前記挿入孔１１に挿入すれば、該トンネル部材１０をわざわざペット用ネズミ小屋３０から取り外さなくても、ネズミを逃がさずに楽にかつ素早く該空間を隔てることができる。
【００２６】
本考案に係るペット用ネズミ小屋に用いるトンネル部材は、さらに以下の利点を有する。
【００２７】
前記阻止プレート２０に前記２つの固定突起部２２を足した厚さは、該挿入孔１１の開口の厚みよりやや大きいので、該阻止プレート２０を挿入孔１１に挿入する時、力を加えて該挿入孔１１を拡張する必要がある。この構成によれば、反対に該阻止プレート２０を挿入孔１１から取り外す時、該挿入孔１１の内側に係止されている固定突起部２２を挿入孔１１の外側へ越えさせるために、力を加えて該挿入孔１１を拡張しなくてはならないので、ネズミが該阻止プレート２０を持ち上げて前記挿入孔１１から脱落させることを防止することができる。
【００２８】
図４に示すように、阻止プレート２０の内部端は、前記トンネル部材１０の内周面に対応し当接し、該阻止プレート２０の内部端と該トンネル部材１０の内周面との間に隙間を形成させないものであるので、ペット用ネズミが該阻止プレート２０の内部端と該トンネル部材１０の内周面との間を通過することができない。
【００２９】
また、図３に示すように、阻止プレート２０には、フック２３が延設されることから、該阻止プレート２０を使用しない場合には、例えばペット用ネズミ小屋３０の網状部材３２に引っ掛けておくことができ、更には、該フック２３の内側に脱落防止突起部２４が設けられるので、該阻止プレート２０の網状部材３２からの脱落を防止することができる。
【００３０】
さらに、前記阻止プレート２０をトンネル部材１０に挿入した時は、固定前記突起縁部２１の下端が挿入孔１１に当接するので、該阻止プレート２０をしっかりと位置決めすることができる。
【００３１】
なお、前記トンネル部材１０は回転可能に前記ペット用ネズミ小屋３０の開口に取り付けられるものであるので、ペット用ネズミ小屋３０の向きに関わらず、便利に前記阻止プレート２０を前記挿入孔１１に挿入させえるように前記トンネル部材１０を回転することができる。
【００３２】
また、前記トンネル部材１０は、単なるトンネルとして使用する以外に、前記阻止プレート２０を挿入孔１１に挿入して区画することにより、ネズミの寝室として使用することもできる。
【００３３】
その上、前記トンネル部材１０の内周面には、内側へ延出する複数のリング１２が等間隔に配置されているので、該トンネル部材１０を縦方向に設置した時には、ネズミが該複数のリング１２を掴んで登ることができるので、ネズミの運動用としても使える。
【産業上の利用可能性】
【００３４】
本考案は上記の構成を有するので、トンネル部材における挿入孔に挿入される阻止プレートにより、該トンネル部材をペット用ネズミ小屋から取り外さなくても、楽にかつ素早く、連通する空間を隔てることができるので、ネズミを逃がしてしまうようなことはない。
【符号の説明】
【００３５】
１０ トンネル部材
１１ 挿入孔
１２ リング
２０ 阻止プレート
２１ 固定突起縁部
２２ 固定突起部
２３ フック
２４ 脱落防止突起部
３０ ペット用ネズミ小屋
３２ 網状部材
【図１】
0003167971.tif 000003
【図２】
0003167971.tif 000004
【図３】
0003167971.tif 000005
【図４】
0003167971.tif 000006
【図５】
0003167971.tif 000007
【図６】
0003167971.tif 000008
【図７】
0003167971.tif 000009